(57)【要約】【課題】処理の時間を短縮できるとともに情報の秘匿性に優れた文字起こしシステムを提供する。【解決手段】管理サーバ１０において話者の発言・会話が記録されている音声データが複数の音声区間に細分化され、細分化された各音声区間がネットワーク３０を介して管理サーバと接続された複数の情報端末２０ａ〜２０ｃへ送られる。各情報端末では当該音声区間の文字起こしが行われてその結果が文字列として管理サーバ１０へ送り返される。そして管理サーバ１０は、個々の文字列を結合して元の音声データの会話全体を文章化した文章データを構築する。【選択図】図１
2008107624.tif 000002
【特許請求の範囲】
【請求項１】
管理サーバと、
入力された音声データにかかる会話から文字起こしした文字列を前記管理サーバに出力する、前記管理サーバとネットワークで接続された複数の情報端末と、
から構成され、
前記管理サーバは、
録音された会話を音声データとして記憶する記憶部と、
前記記憶部から音声データを読み出して複数の音声区間にかかる音声データに分割する音声分割手段と、
前記分割された各音声区間の音声データを前記複数の情報端末に送信し、前記情報端末から前記文字列を受信する通信部と、
前記分割された各音声区間の音声データを前記各情報端末のうちどれに割り当てるかを管理する管理手段と、
前記管理手段により管理される管理情報に基づいて、前記各情報端末から受信した個々の文字列を結合させ、元の音声データの会話全体にかかる文字起こしされた文章データを生成する文章データ生成手段と、
を備える
ことを特徴とする文字起こしシステム。
【請求項２】
前記情報端末は、
入力された音声データを再生する音声再生部と、
作業者が、前記音声再生部により再生された音声データにかかる会話から聴き取った言葉を文字入力することで文字起こしを行うための文字入力部と、
を備える
ことを特徴とする請求項１に記載の文字起こしシステム。
【請求項３】
前記情報端末は、
入力された音声データの音声を認識する音声認識手段と、
前記認識された音声を文字に変換することで文字起こしを行う文字変換手段と、
を備える
ことを特徴とする請求項１に記載の文字起こしシステム。
【請求項４】
前記音声分割手段は、分割後の音声区間が異なるＫ（≧２）個の分割パターンにより１つの音声データを分割し、
前記文章データ生成手段は、前記各分割パターンに対応するＫ個の文章データ候補を作成し、
前記管理サーバは、
前記Ｋ個の文章データ候補の各々を文節単位に分解して文節毎に該文章データ候補を比較し、同一の部分に対応するＫ個の文節から最も出現頻度の高いものを選択して、該選択された文節を再構築することによって、１つの文章データを生成する文章データ編集手段をさらに備える
ことを特徴とする請求項１から請求項３のいずれかの項に記載の文字起こしシステム。
【請求項５】
前記管理手段は、
前記分割された各音声区間の音声データが全て異なる情報端末に割り当てられるように管理を行う
ことを特徴とする請求項１から請求項４のいずれかの項に記載の文字起こしシステム。
【発明の詳細な説明】
【技術分野】
【０００１】
本発明は、音声として記録された会話から文字を起こす文字起こしシステムに関する。
【背景技術】
【０００２】
会議での発言やインタビュー、大学の講義などをテープやＩＣレコーダに録音し、後で発言の内容を文字として文章に書き表す、いわゆる「文字起こし」が以前から行われている。この文字起こしは、従来は発言が録音されたテープ等を再生し、それを作業者が耳で聴き取って文字化して、その文字をコンピュータに入力したり紙に書き取ったりするといった人手に頼った方法が主流であったが、最近では音声認識技術を利用し、コンピュータ上で音声認識ソフトウェアを動かして音声データから自動で文字起こしを行うことも可能になっている（例えば、特許文献１参照）。
【０００３】
ここで、このように文字起こしを人手により行う方法、自動で行う方法のいずれにおいても、一般的には、録音した内容の全部を１人の作業者（１台のコンピュータ）が担当し、会話の始めから終わりまでを通して文章化していくことが通常である。また、長時間の発言記録の場合には、１人ではなく数人で文字起こしを分担することもあるが、そのようなときでも各人が当該録音内容のうち相当量（全体の数分の一）の文字起こしを行っている点は、１人で行う場合とほとんど同じである。
【特許文献１】特開２００５−３０１７５４号公報
【発明の開示】
【発明が解決しようとする課題】
【０００４】
ところが、上記のように作業者１人当たりにつき多くの分量の内容を文字起こしする場合、次のような問題があると考えられる。
まず、文字起こしの作業者が処理できる文章化のスピードには限りがあるので、１人で多くの作業量をこなすとなると当然ながら各作業者の個々の処理時間が増加し、全体の文字起こし完成までにそれだけ長い時間がかかってしまう。音声認識ソフトウェアを利用する場合でも、一般的には処理時間は入力された音声データの量に比例する。また、現状では音声認識の精度は１００％ではなく、認識結果を人間が確認し必要に応じて修正・編集などを行わなければならないので、音声データ量が多いとこれらの作業にかかる時間が増大することになってしまう。
【０００５】
そのため、例えば企業で会議の議事録を作成したり、大学で講義ビデオのＶＯＤ（ビデオ・オン・デマンド）配信のためのテキスト資料を作成したり、といった場合などのように、発言内容の文章化に即時性が求められる状況に十分に対応することができないという問題があった。
【０００６】
また、１人の作業者が１つの録音物の全部ないし全体の数分の一について文字起こしを担当するということは、あるまとまった意味を持った発言内容についての文章化を行っていくことを意味する。すなわち、文字起こしの作業者は、発言を聴いてそれを言葉として理解した上で文章に表す、という作業をするので、文字起こしの分量が多ければ多いほどそこに含まれる発言に関する詳細な情報を知得することになってしまう。また、文字起こし用の音声認識ソフトウェアが動いているコンピュータには、音声データとして処理対象である録音内容が記憶され、文字起こしの処理後もこのデータがコンピュータ上に残る可能性もある。
【０００７】
したがって、文字起こしが例えば企業における機密事項に関する会議に係わるものであるような場合に、その情報、すなわち発言に含まれる意味・内容がそのまま外部（文字起こしをする作業者やコンピュータ）に流出するおそれがあり、十分に秘匿性を保ちつつ運用を行うということが難しいという問題があった。
【０００８】
この発明はこれらの問題点に鑑みてなされたものであり、その目的は、処理の時間を短縮できるとともに情報の秘匿性に優れた文字起こしシステムを提供することにある。
【課題を解決するための手段】
【０００９】
本発明は上記の課題を解決するためになされたものであり、請求項１に記載の発明は、管理サーバと、入力された音声データにかかる会話から文字起こしした文字列を前記管理サーバに出力する、前記管理サーバとネットワークで接続された複数の情報端末と、から構成され、前記管理サーバは、録音された会話を音声データとして記憶する記憶部と、前記記憶部から音声データを読み出して複数の音声区間にかかる音声データに分割する音声分割手段と、前記分割された各音声区間の音声データを前記複数の情報端末に送信し、前記情報端末から前記文字列を受信する通信部と、前記分割された各音声区間の音声データを前記各情報端末のうちどれに割り当てるかを管理する管理手段と、前記管理手段により管理される管理情報に基づいて、前記各情報端末から受信した個々の文字列を結合させ、元の音声データの会話全体にかかる文字起こしされた文章データを生成する文章データ生成手段と、を備えることを特徴とする文字起こしシステムである。
【００１０】
また、請求項２に記載の発明は、請求項１に記載の文字起こしシステムにおいて、前記情報端末は、入力された音声データを再生する音声再生部と、作業者が、前記音声再生部により再生された音声データにかかる会話から聴き取った言葉を文字入力することで文字起こしを行うための文字入力部と、を備えることを特徴とする。
【００１１】
また、請求項３に記載の発明は、請求項１に記載の文字起こしシステムにおいて、前記情報端末は、入力された音声データの音声を認識する音声認識手段と、前記認識された音声を文字に変換することで文字起こしを行う文字変換手段と、を備えることを特徴とする。
【００１２】
また、請求項４に記載の発明は、請求項１から請求項３のいずれかの項に記載の文字起こしシステムにおいて、前記音声分割手段は、分割後の音声区間が異なるＫ（≧２）個の分割パターンにより１つの音声データを分割し、前記文章データ生成手段は、前記各分割パターンに対応するＫ個の文章データ候補を作成し、前記管理サーバは、前記Ｋ個の文章データ候補の各々を文節単位に分解して文節毎に該文章データ候補を比較し、同一の部分に対応するＫ個の文節から最も出現頻度の高いものを選択して、該選択された文節を再構築することによって、１つの文章データを生成する文章データ編集手段をさらに備えることを特徴とする。
【００１３】
また、請求項５に記載の発明は、請求項１から請求項４のいずれかの項に記載の文字起こしシステムにおいて、前記管理手段は、前記分割された各音声区間の音声データが全て異なる情報端末に割り当てられるように管理を行うことを特徴とする。
【発明の効果】
【００１４】
この発明によれば、管理サーバにおいて話者の発言・会話が記録されている音声データが複数の音声区間にかかる音声データに細分化され、細分化された各音声データがネットワークを介して管理サーバと接続された複数の情報端末へ送られ、各情報端末において当該音声区間の文字起こしが行われてその結果が文字列として管理サーバへ送り返され、管理サーバにおいて個々の文字列が結合されて元の音声データの会話全体を文章化した文章データが構築されることによって、発言内容の文字起こしが実現されているので、複数の情報端末を利用して文字起こしの作業・処理が並列化されている。そのため、音声データの細分化を細かく行うことで、各情報端末１台当たりでかかる処理時間が短くなり、トータルでの文字起こしの処理時間を短縮することが可能である。
【００１５】
また、音声データの細分化を細かくしていくことにより、１つ１つの音声区間が有する情報の量も小さくなるので、その音声区間だけの情報（発言内容）から発言全体あるいはその一部分に関する知見を得ることが非常に難しくなる。これにより、文字起こしにおける情報の秘匿性を確保することができるようになる。
【００１６】
また、請求項２に記載の発明によれば、情報端末の音声再生部から音声データが再生され、それを聴いた作業者が再生された発言を聴き取って文字として文字入力部から入力を行うことによって、各音声区間の文字起こしが行われるので、特別なソフトウェアを用いることなく、情報端末としてスピーカとキーボードを備えた普通のコンピュータを使って文字起こしが作業者の手作業により行われる文字起こしシステムを構築できる。
【００１７】
また、請求項３に記載の発明によれば、情報端末の音声認識手段が音声データに含まれる言葉を認識・把握し、その言葉が文字変換部で対応する文字に置き換えられることによって、各音声区間の文字起こしが行われるので、音声認識ソフトウェアを利用して自動で文字起こしをすることが可能な文字起こしシステムを構築することができる。
【００１８】
また、請求項４に記載の発明によれば、１つの音声データの細分化が数種類の分割パターンによって行われ、細分化された全ての音声区間が上記と同様に各情報端末で文字化されて、個々の文字列が管理サーバで分割パターン毎に結合されることで、分割パターンの数だけ文章データ候補が作成される。そして、これら複数の文章データ候補が一旦文節単位に分解された上で、最も出現頻度の高い文節から構成される文章が再構築されることによって、文字起こしの最終結果として１つの文章データが生成される。すなわち、この発明では、１つの音声データから複数の文章データ候補を作成し、これらを比較することで最終的な文章データを生成しているので、文字起こしの精度を向上させることが可能である。また、異なる分割パターンを用い、音声区間が互いに異なるように分割しているので、分割の切れ目が適切でないことに起因して間違った文字起こしが行われてしまうおそれがある場合にも、正しい文字起こしの結果を得ることができる。
【００１９】
また、請求項５に記載の発明によれば、１つの情報端末が処理を担当する細分化された音声区間は１つだけとなるように割り当てが行われるので、各情報端末に配布される音声データは最小限のものとなる。これにより、ある情報端末において複数の音声区間の情報を総合して音声データに含まれる会話全体の内容を推測する、といったようなことが不可能となり、文字起こしにおける秘匿性がさらに向上する。
【発明を実施するための最良の形態】
【００２０】
以下、本発明の実施形態について図面を参照しながら説明する。
≪第１の実施形態≫
図１は、本発明の第１の実施形態による文字起こしシステムの構成図を示したものである。同図において、この文字起こしシステムは管理サーバ１０と、複数台の情報端末２０ａ、２０ｂ、…、２０ｃとから構成されており、これらがネットワーク３０によって接続されている。
【００２１】
管理サーバ１０は、本システムで処理される各データを管理する管理用コンピュータであり、記憶部１１と、音声分割手段１２と、管理手段１３と、文章データ生成手段１４と、通信部１５とから構成されている。
【００２２】
記憶部１１は、文字起こしの対象となる会話を音声データとして記憶するハードディスク記憶装置である。なお、この音声データは、ＩＣレコーダ等の録音装置（図示せず）を利用してデジタル録音したものを、当該録音装置から管理サーバ１０内蔵の外部機器インタフェース（図示せず）を介して取り込んだものである。
【００２３】
音声分割手段１２は、記憶部１１から読み出した音声データをあらかじめ設定された時間長Ｔ程度の長さの音声断片データに分割して、文字起こしの単位の細分化を行う。ここで一例として、ある会議における発言を録音した音声データαが、音声断片データα１、α２、…、αｋに分割された様子を図２に概念的に示す。同図において、音声断片データα１〜α２は発言者Ａの発言であり、音声断片データα３〜α５は発言者Ｂの発言であり、音声断片データα６は発言者Ｃの発言である。そして、音声データの分割は、音声分割手段１２が音声データ内の無音区間を識別し、音声断片データの頭から時間長Ｔ程度経過した付近に存在する無音区間を分割点として音声断片データを切り出していくことによって行われる。なお、発言者間の声質の違いを識別することによって、発言者Ａ、Ｂ、Ｃ、…の発言の境目は時間長Ｔに拘らず必ず分割の切れ目となるように処理される（後述する図６参照）。
【００２４】
なお、音声データの分割方法として、別の方法を適用することもできる。
例えば、周知の音声認識技術を利用して、認識された単語の区切りを分割点として分割を行うこともできるし、特に、「あー」や「えー」などの間投詞の部分で分割することも可能である。また、手間は掛かるが、単純に管理サーバ１０を操作する管理者が音声を聴きながら手動で分割点を逐一設定するようにすることもできる。
【００２５】
図１に戻って説明を続ける。
管理手段１３は、音声分割手段１２によって分割された各音声断片データをどの情報端末２０ａ〜２０ｃに割り当てるかを決定し、その情報を管理する。また、管理手段１３は、本文字起こしシステムを構成している多数の情報端末に関する登録情報を保持しているとともに、それら情報端末の稼動状況（電源が投入されており本システムの処理を実行可能か、とか、別の文字起こしの処理を実行中でないか、等）をも管理し、新規に文字起こしの処理を割り当てられる情報端末の数ｎを把握している。
【００２６】
そして、音声断片データの数ｋがｎより小さい場合は、それらｎ台の情報端末から任意に選択したｋ台の情報端末それぞれにｋ個の音声断片データを１つずつ割り当てていく。また、割り当て可能な情報端末の数が少なく、ｋがｎより大きい場合は、１台の情報端末で複数の音声断片データを処理するように重複して割り当てを行う。
【００２７】
なお、前者（１つずつ割り当て）の場合、１台の情報端末には音声断片データが１つしか配布されないので、各情報端末では元の音声データを構成する最小限度の情報だけが文字起こし処理されることになり、秘匿性を確保するのに都合が良い。
【００２８】
図３は、管理手段１３が管理している、各音声断片データを各情報端末に割り当てた情報を示した一例である。同図において、音声区間ＩＤは図２の音声断片データα１〜αｋのそれぞれに対応し、端末ＩＤは情報端末２０ａ〜２０ｃに対応する。また、各音声区間の開始点と終了点のタイムスタンプも併せて管理されている。
【００２９】
説明を再び図１に戻す。
文章データ生成手段１４は、通信部１５を介して各情報端末２０ａ〜２０ｃから受け取った文字列（音声断片データを文字起こししたもの）を、管理手段１３が管理している管理情報（図３参照）を参照して正しい順番に並べ替えた上で結合させ、元の音声データ全体の会話を文字化した文章データを生成する。
【００３０】
通信部１５は、ネットワーク３０に接続された通信用インタフェースであり、情報端末２０ａ〜２０ｃへ音声断片データを送信し、また、情報端末２０ａ〜２０ｃから音声断片データを文字起こしした文字列を受信するためのものである。
【００３１】
情報端末２０ａ〜２０ｃは、音声断片データの文字起こしを行うクライアントコンピュータであり、それぞれ音声認識手段２１と、文字変換手段２２と、通信部２３とから構成される。
【００３２】
音声認識手段２１は、管理サーバ１０から送信されて通信部２３を介して入力された音声断片データに含まれる音声を言葉として認識し、結果を文字変換手段２２に出力する。文字変換手段２２は、音声認識手段２１からの入力を文字に変換し、音声断片データの全体について、含まれる音声に対応する文字列を生成する。生成された文字列は、通信部２３を介して管理サーバ１０に送られる。通信部２３は、管理サーバ１０との間でデータを送受信するための通信用インタフェースである。
【００３３】
次に、上述した文字起こしシステムの動作を図４に示すフローチャートを参照して説明する。
まず、記憶部１１から文字起こしの対象とする音声データが読み出される（ステップＳ１）。読み出された音声データは、音声分割手段１２において所定の時間長を有する音声断片データに分割される（ステップＳ２）。ここでは、図２に示した音声データαについて文字起こしをする場合を例にとり、同図のようにこのαがｋ個の音声断片データα１、α２、…、αｋに分割されたものとする。
【００３４】
次に、管理手段１３が、随時最新の情報に更新して管理を行っている管理情報を参照して、新たに文字起こしの処理を割り当て可能な情報端末を検索する（ステップＳ３）。検索の結果、ここでは全ての情報端末２０ａ〜２０ｃが利用可能であるものとし、その台数ｎは音声断片データの数ｋより大きいものとする。
【００３５】
そして次に、管理手段１３は検索された情報端末２０ａ〜２０ｃに音声断片データα１〜αｋを割り当てていき、その結果を管理情報として記憶する（ステップＳ４）。ここでは、ｎ＞ｋであるから各情報端末に対し１つの音声断片データが割り当てられる。その割り当て状況は、図３のように、端末２０ａに断片α１、端末２０ｂに断片α２、…のようであったとする。
【００３６】
次に、上記割り当てにしたがって、各音声断片データα１〜αｋが情報端末２０ａ〜２０ｃに通信部１５から送信される（ステップＳ５）。
【００３７】
音声断片データを受け取った情報端末では、同データが音声認識手段２１へ送られて音声の認識が行われ、その結果がさらに文字変換手段２２へ送られてその音声を表す文字列が生成されることで、音声データαの一部分である音声断片データが文字起こしされる（ステップＳ６）。
【００３８】
生成された文字列は、各情報端末２０ａ〜２０ｃの通信部２３から管理サーバ１０へ送信される（ステップＳ７）。
【００３９】
そして、管理サーバ１０では、各情報端末２０ａ〜２０ｃから受信した音声断片データα１〜αｋに対応する各文字列が文章データ生成手段１４へ送られる。文章データ生成手段１４は、ステップＳ４で記憶した各音声断片データの割り当てを表す管理情報を参照することによって、上記の各文字列を正しい順番に並べ替えた上で結合し、元の音声データαに含まれる会話全体を文字化した文章データを生成する（ステップＳ８）。
【００４０】
このように、上記の実施形態によれば、音声分割手段１２が話者の発言・会話が記録されている音声データを複数の音声区間からなる音声断片データに細分化し、ネットワーク３０を介して管理サーバ１０と接続された情報端末２０ａ〜２０ｃへ各音声断片データが送られる。このとき、どの音声断片データがどの情報端末に割り当てるかは、管理手段１３によって管理されている。そして、各情報端末２０ａ〜２０ｃでそれぞれの音声断片データが音声認識手段２１と文字変換手段２２によって文字化され、その文字列が管理サーバ１０に戻される。管理サーバ１０は管理手段１３の管理情報に基づいて、各文字列を正しい順番に結合して元の音声データ全体を文章化した文章データを生成する。こうして複数の情報端末を利用して文字起こしを並列化することにより、文字起こしの処理にかかる時間を短縮することが可能になっている。また、各情報端末で文字化されるのは、会話の一部分に相当する細分化された音声断片データであるので、その断片だけの情報から音声データ全体の内容に関する情報を得ることは難しく、このことによって秘匿性が確保されている。さらに、管理手段１３により、各情報端末には音声断片データが１つだけ割り当てられているので、情報の秘匿性がさらに向上している。
【００４１】
≪第２の実施形態≫
次に、本発明の第２の実施形態について説明する。
図５は、本発明の第２の実施形態による管理サーバの構成図を示したものであり、新たに文章データ編集手段１６が設けられている点を除いて、他の構成は図１の管理サーバと同じである。
【００４２】
また図６は、音声分割手段１２によって音声データαが分割された様子を概念的に示した図である。本実施形態においては、音声データαは異なった音声区間を有する２つの分割パターンＰおよびＱにしたがって分割される。同図に示すように、例えば分割パターンＰにおいては時間長Ｔ＝３０秒程度で分割が行われ（α１ｐ〜αｋｐ）、分割パターンＱにおいては時間長Ｔ＝２０秒程度で分割が行われる（α１Ｑ〜αｊＱ）。
【００４３】
図５に戻り、管理手段１３はこのように複数の分割パターンに分割されて作られた全ての音声断片データ（図６ではα１ｐ、α２ｐ、…、αｋｐ、α１Ｑ、α２Ｑ、…、αｊＱ）を第１の実施形態の場合と同様に情報端末２０ａ〜２０ｃに割り当てる。そして、情報端末でそれぞれ文字化された文字列が管理サーバ１０に戻ってくると、文章データ生成手段１４は各文字列を分割パターン毎に結合し、分割パターン毎に対応する文章データ候補を作成する。
【００４４】
文章データ編集手段１６は、このようにして作成された複数の文章データ候補をそれぞれ文節単位に分解し、文節毎に各文章データを比較する。そして、比較された各文節が一致すればその文節を確定する。一致しない場合は、その中で最も出現頻度の高いものを選んで文節を確定する。そして、全ての文節が確定すると、確定した文節を結合して文章データを再構築する。この文章データが文字起こしの最終結果となる。なお、図６では説明の都合上、２つの分割パターンで音声データが分割される様子を説明したが、実際には、最も出現頻度の高い文節を選択するために音声分割手段１２は３つ以上の分割パターンを用いる必要がある。
【００４５】
このように、上記の実施形態によれば、複数の分割パターンで音声データを分割して、対応する複数の文章データ候補を作成し、これらを基に最終的な文字起こし結果である文章データを得るようにしている。したがって、文字起こしの処理の間違いを防止して文字起こしの精度を向上させることができる。また、分割パターンはそれぞれ音声区間が異なるので、例えばある分割パターンでは単語の途中で音声が分割されているため正しく文字起こしができなくても、その単語の途中で分割されていない他の分割パターンでは文字起こしが正しく行われる。よって、常に正しい文字起こしの結果を得ることができる。
【００４６】
以上、図面を参照してこの発明の第１および第２の実施形態について詳しく説明してきたが、具体的な構成は上述のものに限られることはなく、この発明の要旨を逸脱しない範囲内において様々な設計変更等をすることが可能である。
【００４７】
例えば、情報端末２０ａ〜２０ｃは携帯電話のようなモバイル端末でもよい。
また、管理サーバ１０から情報端末２０ａ〜２０ｃに音声断片データを送信する前に、当該音声断片データを、音質や話速を変えたデータに変換するようにしてもよい。このようにすると、各情報端末において話者の性別や年齢など個人の特徴を判別することが難しくなるので、情報の秘匿性をさらに高めることが可能である。
【００４８】
また、上記実施形態では、各情報端末は音声認識手段２１と文字変換手段２２を備えており、入力された音声断片データがソフトウェアにより自動で文字化されていたが、これらの手段に代えて、音声再生部（スピーカ）と文字入力部（キーボード）を備え、スピーカで再生された音声断片データの内容を作業者が聴き取ってキーボードから文字入力するようにしてもよい。
【産業上の利用可能性】
【００４９】
この発明は、音声として記録された会話から文字を起こす文字起こしシステムに用いて好適である。
【図面の簡単な説明】
【００５０】
【図１】第１の実施形態による文字起こしシステムの構成図である。
【図２】分割された音声データαの一例を概念的に示した図である。
【図３】管理手段が管理する管理情報の一例である。
【図４】図１の文字起こしシステムの動作を示すフローチャートである。
【図５】第２の実施形態による管理サーバの構成図である。
【図６】異なる２つの分割パターンにより分割された音声データαを概念的に示した図である。
【符号の説明】
【００５１】
１０…管理サーバ  １１…記憶部  １２…音声分割手段  １３…管理手段  １４…文章データ生成手段  １５…通信部  １６…文章データ編集手段  ２０ａ、２０ｂ、２０ｃ…情報端末  ２１…音声認識手段  ２２…文字変換手段  ２３…通信部  ３０…ネットワーク
【図１】
2008107624.tif 000003
【図２】
2008107624.tif 000004
【図３】
2008107624.tif 000005
【図４】
2008107624.tif 000006
【図５】
2008107624.tif 000007
【図６】
2008107624.tif 000008